(57)【要約】【課題】  本発明は、潜像画像が埋め込まれた真偽判別印刷物に関する。【解決手段】  基材上の少なくとも一部に、複数の網点が規則的に配列されて階調画像が形成された真偽判別印刷物であって、階調画像は、第１の形状から成る第１の網点が、第１の方向に第１のピッチにより配列された第１の網点群が形成され、更に第１の網点群が第２の方向に第１のピッチと同一ピッチにより複数配列された可視画像部と、第２の形状から成る第２の網点が、第１の方向に第１のピッチと同一ピッチにより配列された第２網点群が形成され、更に第２の網点群が第２の方向に第１のピッチと同一ピッチにより複数配列されて形成された潜像画像部から成り、第１の網点と第２の網点は、面積が同一であり、第２の形状が、第１の形状と微細形状の一部が異なることで潜像画像が形成され、第１の網点群と第２の網点群は、第１の方向に同一線状に第１のピッチを有して配置されて形成される。【選択図】  図１
2010030056.tif 000002
【特許請求の範囲】
【請求項１】
基材上の少なくとも一部に、複数の網点が規則的に配列されて階調画像が形成された真偽判別印刷物であって、
前記階調画像は、第１の形状から成る第１の網点が、第１の方向に第１のピッチにより配列された第１の網点群が形成され、更に前記第１の網点群が第２の方向に前記第１のピッチと同一ピッチにより複数配列された可視画像部と、第２の形状から成る第２の網点が、前記第１の方向に前記第１のピッチと同一ピッチにより配列された第２網点群が形成され、更に前記第２の網点群が前記第２の方向に前記第１のピッチと同一ピッチにより複数配列されて形成された潜像画像部から成り、
前記第１の網点と前記第２の網点は、面積が同一であり、
前記第２の形状が、前記第１の形状と微細形状の一部が異なることで潜像画像が形成され、
前記第１の網点群と前記第２の網点群は、前記第１の方向に同一線状に前記第１のピッチを有して配置され、
前記真偽判別印刷物の前記第１の方向に前記第１のピッチと同一ピッチのレンズ群から成る判別具を重ね合わせた場合には、前記潜像画像が視認され、
前記第１の方向から前記判別具を重ねたまま前記印刷物上を滑らせて傾けた場合には、前記第１の形状と前記第２の形状が合成して視認されて成る真偽判別印刷物。
【請求項２】
前記第１の網点は、ｍ×ｍピクセル（ｍ≧３、ｍは整数。）の網点マトリクスにより形成され、
前記第２の網点は、ｍ×ｍピクセル（ｍ≧３、ｍは整数。）の網点マトリクスにより形成され、
前記第１の形状と前記第２の形状は、ピクセル数が同一であることを特徴とする請求項１に記載の真偽判別印刷物。
【請求項３】
前記第１の方向から前記第２の方向に前記判別具を重ねたままずらした場合には、前記潜像画像がネガポジ反転して視認されて成る請求項１又は請求項２に記載の真偽判別印刷物。
【発明の詳細な説明】
【技術分野】
【０００１】
本発明は、ハイライトからシャドウに至る濃度の段階（以下「階調」という。）により構成された印刷模様を有する潜像画像が印刷物内に埋め込まれた真偽判別印刷物に関するものである。
【背景技術】
【０００２】
銀行券、パスポート、有価証券、カード、印紙類、商品タグ、有料道路等の回数券、各種チケット等の貴重品は、その価値を保証及び維持するために、偽造防止技術が施されている。そのため、このような貴重品には、特殊な印刷パターンが施され、印刷パターンに万線フィルタから成る判別具や、レンチキュラーレンズから成る判別具を重ね合わせることによって、潜像画像が視認され、真偽判別が行なわれている。
【０００３】
例えば、万線フィルタから成る判別具によって真偽判別する技術として、万線画線で印刷された可視画像部（後述する潜像画像部ではない領域のことをいう）と、可視画像部と異なった角度の万線画線で潜像画像部を印刷し、一見しては、可視画像部と潜像画像部は区分けして視認し難いが、所定の角度で万線フィルタを印刷物に重ね合わせて観察すると、可視画像部と潜像画像部が区分けされて視認できる技術が知られている。
【０００４】
その一例としては、第１の方向と第２の方向に位相変調されたパターンが形成された印刷物と、当該印刷物の第1の方向と万線状フィルタの万線状パターンの方向とを一致するように前記万線状フィルタを重ね合わせることにより形成される第１の多階調画像と、前記万線状フィルタの重ね合わせる角度を前記印刷物の第２の方向に一致するように変えると第２の多階調画像が形成されることを特徴とする印刷物及び画像形成法がある（例えば、特許文献１参照）。
【０００５】
また、レンチキュラーレンズから成る判別具によって真偽判別する技術としては、ｎを２以上の所定の整数とし、第１〜ｎの順番に並列する第１〜ｎ帯によって組帯を形成し、並列する複数の前記組帯によって画像を形成する印刷物であって、前記第１〜ｎ帯から第１所定画像の前記帯に対応する領域を排他的に貼り付ける帯として二つを選択し、隠し画像の輪郭において前記選択した一方の帯から他方の帯へと前記貼り付ける帯を変化させることにより形成した画像が印刷されているようにした印刷物に、レンチキュラーレンズを重ね合わせることによって隠し画像が顕在化する印刷物が開示されている（例えば、特許文献２参照）。
【０００６】
また、網点を使用した真偽判別印刷物としては、階調画像を背景画像部と潜像画像部で形成し、前記背景画像部を第１の網点で形成し、前記潜像画像部を第２の網点で形成し、第１の網点と第２の網点の形状を異ならせて成る真偽判別可能な印刷物が開示されている（例えば、特許文献３参照）。
【０００７】
【特許文献１】特開平１０−２３０６７４号公報
【特許文献２】特開２００３−０９４７９０号公報
【特許文献３】特開２００７−１４４６７１号公報
【発明の開示】
【発明が解決しようとする課題】
【０００８】
しかしながら、特開平１０−２３０６７４号公報は、万線フィルタの万線ピッチと印刷物を形成する万線パターンのピッチをほぼ同一にする必要があり、万線フィルタのピッチ幅に制限があった。さらに、万線フィルタは、万線画線の画線部に遮断され、潜像画像部は、明瞭に視認されるものではなかった。
【０００９】
また、特開２００３―０９４７９０号公報は、隠し画像となる潜像画像部及びその周辺の可視画像部は、線画で構成するか、又は隠し画像となる潜像画像部及びその周辺の可視画像部は網点による万線画線で構成され、潜像画像部と可視画像部の万線の配列にずれを有しているため、印刷物のみで観察した場合においても潜像画像部と可視画像部の境が肉眼で視認される問題があった。さらに、万線画線のずれで印刷物を構成しているため、階調を有する印刷物内に潜像画像を埋め込むことは困難であるとともに、複数の潜像画像を埋め込む場合は、印刷物自体の階調の再現性が低下する問題があった。
【００１０】
また、特開平１０−２３０６７４号公報及び特開２００３―０９４７９０号公報は、いずれにおいても判別具を所定の位置で完全に一致させなければ潜像画像は確認することができず、後述する干渉模様が出現しないため、真偽判別効果としては低いものであった。
【００１１】
また、特開２００７−１４４６７１号公報は、背景画像部を構成する第１の網点の形状と、潜像画像部を構成する第２の網点の形状が異なるため、真偽判別印刷物にレンズシートを重ねたまま傾けて使用して観察した場合において、第１の網点の形状と第２の網点の形状の干渉模様の発現が不明瞭になるおそれがあった。
【００１２】
本発明は、このような従来の問題を解決することを目的とした真偽判別印刷物を提案するものである。
【課題を解決するための手段】
【００１３】
本発明は、基材上の少なくとも一部に、複数の網点が規則的に配列されて階調画像が形成された真偽判別印刷物であって、前記階調画像は、第１の形状から成る第１の網点が、第１の方向に第１のピッチにより配列された第１の網点群が形成され、更に前記第１の網点群が第２の方向に前記第１のピッチと同一ピッチにより複数配列された可視画像部と、第２の形状から成る第２の網点が、前記第１の方向に前記第１のピッチと同一ピッチにより配列された第２網点群が形成され、更に前記第２の網点群が前記第２の方向に前記第１のピッチと同一ピッチにより複数配列されて形成された潜像画像部から成り、前記第１の網点と前記第２の網点は、面積が同一であり、前記第２の形状が、前記第１の形状と微細形状の一部が異なることで潜像画像が形成され、前記第１の網点群と前記第２の網点群は、前記第１の方向に同一線状に前記第１のピッチを有して配置され、前記真偽判別印刷物の前記第１の方向に前記第１のピッチと同一ピッチのレンズ群から成る判別具を重ね合わせた場合には、前記潜像画像が視認され、前記第１の方向から前記判別具を重ねたまま前記印刷物上を滑らせて傾けた場合には、前記第１の形状と前記第２の形状が合成して視認されて成る真偽判別印刷物である。
【００１４】
また、本発明における前記第１の網点は、ｍ×ｍピクセル（ｍ≧３、ｍは整数。）の網点マトリクスにより形成され、  前記第２の網点は、ｍ×ｍピクセル（ｍ≧３、ｍは整数。）の網点マトリクスにより形成され、前記第１の形状と前記第２の形状は、ピクセル数が同一であることを特徴とする真偽判別印刷物である。
【００１５】
また、本発明における前記第１の方向から前記第２の方向に前記判別具を重ねたままずらした場合には、前記潜像画像がネガポジ反転して視認されて成る真偽判別印刷物である。
【発明の効果】
【００１６】
本発明の真偽判別印刷物は、判別具を所定の位置で重ねた場合に潜像画像が確認でき、所定の位置から判別具を重ねたまま印刷物上を滑らせて傾けた場合には、干渉画像が確認できるため、二つの異なる虚像が確認でき、二つの異なる虚像をもって真偽判別が可能であるため、真偽判別を必要とする貴重印刷物に適用可能である。また、干渉模様は、第１の網点の形状と第２の網点の形状の面積が同一であり、さらに、その形状が近似しているため明瞭な干渉模様が視認できる。
【００１７】
また、本発明の真偽判別印刷物は、レンチキュラーレンズ及びマイクロレンズアレイシートで潜像を観察する場合ではその効果が異なり、レンチキュラーレンズで観察すると、潜像画像のみが確認でき、マイクロレンズアレイシートで観察すると干渉模様発現から潜像画像発現への潜像スイッチ効果が得られ、より高い真偽判別効果が得られる。
【００１８】
本発明の真偽判別印刷物は、最濃色から最薄色を段階的に濃度変化させた第１の網点及び第２の網点が、階調毎に相対し、かつ、相対する第１の網点及び第２の網点の面積が同一であり、微細な形状の一部が互いに異なるため潜像画像部と可視画像部の境を肉眼で視認されるおそれがない。
【発明を実施するための最良の形態】
【００１９】
本発明を実施するための最良の形態について、図面を用いて説明する。しかしながら、本発明は以下に述べる実施するための最良の形態に限定されるものではなく、特許請求の範囲に記載されている技術の範疇であれば、その他いろいろな実施の形態が含まれる。
【００２０】
図１は、本発明の真偽判別印刷物Ｐ１の一例である。図１に示すように、真偽判別印刷物Ｐ１は、基材（１）上に印刷模様（２）を設け、印刷模様（２）は、可視画像部（３）と潜像画像部（４）を含む構成となっている。さらに、潜像画像部（４）は、可視画像部（３）に含まれる構成となっている。図１に示すように印刷模様（２）は、階調を有する「船」の図柄であり、潜像画像部（４）は、数字の「１」を印刷模様（２）内に形成されている。なお、図面上では、潜像画像部（４）の「１」を認識できるが、肉眼では、実際に潜像画像部（４）の「１」を認識できない。可視画像部（３）は、潜像画像部（４）の「１」の周辺の領域であり、印刷模様（２）において、潜像画像部ではない領域のことをいう。
【００２１】
次に、可視画像部（３）を形成する第１の網点と潜像画像部（４）を形成する第２の網点について説明する。図２（ａ）は、一例として、「Ａ」の文字（ピクセルが存在しない構成）を第１の形状とした第１の網点（Ａ）である。第１の網点（Ａ）の階調は、「Ａ」の文字の周囲のピクセルの有無により表現される。例えば、階調が４８である濃色は、「Ａ」の文字の周囲全体にピクセルが存在する。また、階調が２４である中間色は、前記濃色よりピクセルの存在が少ない。また、階調が１である淡色は、「Ａ」の文字の周囲にのみ、ピクセルが存在する。一方、図２（ｂ）の一例として、潜像画像部（４）は、「Ａ」の文字（ピクセルが存在しない構成）を第２の形状とした第２の網点（Ｂ）である。第２の網点（Ｂ）の階調は、「Ａ」の文字の周囲のピクセルの有無により表現される。例えば、階調が４８である濃色は、「Ａ」の文字の周囲全体にピクセルが存在する。また、階調が２４である中間色は、前記濃色よりピクセルの存在が少ない。また、階調が１である淡色は、「Ａ」の文字の周囲にのみ、ピクセルが存在する。
【００２２】
次に、第１の網点（Ａ）と第２の網点（Ｂ）との関係について説明する。図３に示すように、第１の網点（Ａ）と第２の網点（Ｂ）は、階調を互いに対応させるため、同階調である。例えば、階調が４８である第１の網点（Ａ）のＡ４８には、対応する第２の網点（Ｂ）の階調をＡ４８と同じ階調を有するＢ４８と対応させる。また、中間色である階調が２４である第１の網点（Ａ）のＡ２４には、対応する第２の網点（Ｂ）の階調をＡ２４と同じ階調を有するＢ２４と対応させる。なお、淡色である階調が１である第１の網点（Ａ）のＡ１には、対応する第２の網点（Ｂ）の階調をＡ１と同じ階調を有するＢ１と対応させる。
【００２３】
次に、第１の網点（Ａ）と第２の網点（Ｂ）について説明する。第１の網点（Ａ）と第２の網点（Ｂ）は、ｍ×ｍ（ｍは整数。）のマトリクスから成る網点マトリクス（５）内のピクセルの存在の有無により表現される。図４は、一例として、１６×１６のマトリクスから成る網点マトリクスである。また、階調は、網点マトリクス（５）内のピクセルの存在量により表現される。なお、本明細書における「ピクセル」とは、網点マトリクス（５）の微小に区分けした最小部分を白黒２値で表した「画像要素」のことをいう。
【００２４】
次に、第１の網点（Ａ）と第２の網点（Ｂ）における網点マトリクス（５）とピクセルの関係について説明する。図５（ａ）は、「Ａ」の文字（ピクセルが存在しない構成）を第１の形状とした第１の網点（Ａ）の淡色から濃色まで階調の変化を示すものである。図５（ａ）に示すように、階調が１である淡色の場合は、網点マトリクス（５）における「Ａ」の文字の周囲にのみピクセルが存在するために、淡色であるＡ１として表現される。また、階調が４８である濃色の場合は、「Ａ」の文字以外の網点マトリクス（５）の全体にピクセルが存在するため濃色であるＡ４８として表現される。
【００２５】
一方、図５（ｂ）は、「Ａ」の文字（ピクセルが存在しない構成）を第２の形状とした第２の網点（Ｂ）の淡色から濃色まで階調の変化を示すものである。図５（ｂ）に示すように、階調が１である淡色の場合は、網点マトリクス（５）における「Ａ」の文字の周囲にのみピクセルが存在するために、淡色であるＢ１として表現される。また、階調が４８である濃色の場合は、「Ａ」の文字以外の網点マトリクス（５）の全体にピクセルが存在するため、濃色であるＢ４８として表現される。
【００２６】
次に、第１の網点（Ａ）の第１の形状と第２の網点（Ｂ）の第２形状について説明する。図６（ａ）に示すように、第１の網点（Ａ）の第１の形状と第２の網点（Ｂ）の第２の形状は、互いに白抜けの「Ａ」の文字から成る形状である。しかし、図５（ｂ）の拡大図に示すように、第１の網点（Ａ）の第１の形状（ａ）である「Ａ」に対し、第２の網点（Ｂ）の第２の形状（ｂ）である「Ａ」は、微細な部分が異なっている。
【００２７】
次に、網点マトリクス（５）の座標により第１の網点（Ａ）と第２の網点（Ｂ）の形状について詳細に説明する。図７（ａ）は、第１の網点（Ａ）の第１の形状（ａ）である「Ａ」の拡大図であり、第１の形状（ａ）にピクセルの存在しない座標値を示している。第１の形状（ａ）である「Ａ」は、網点マトリクス（５）の座標（５，６）、（５，７）、（６，７）、（６，８）、（６，９）、（７，８）、（７，１０）、（７，１１）、（８，８）、（８，１２）、（８，１３）、（９，８）、（９，１２）、（９，１３）、（１０，８）、（１０，１０）、（１０，１１）、（１１，７）、（１１，８）、（１１，９）、（１２，６）、（１２，７）の２２個にピクセルの存在しない構成である。
【００２８】
図７（ｂ）は、第２の網点（Ｂ）の第２の形状（ｂ）である「Ａ」の拡大図であり、第２の形状（ｂ）にピクセルの存在しない座標値を示している。第２の形状（ｂ）である「Ａ」は、網点マトリクス（５）の座標（５，６）、（５，７）、（６，７）、（６，８）、（６，９）、（７，７）、（７，１０）、（７，１１）、（８，７）、（８，１２）、（８，１３）、（９，７）、（９，１２）、（９，１３）、（１０，７）、（１０，１０）、（１０，１１）、（１１，７）、（１１，８）、（１１，９）、（１２，６）、（１２，７）の２２個にピクセルの存在しない構成である。
【００２９】
第１の形状（ａ）である「Ａ」を構成するピクセル数と第２の形状（ｂ）である「Ａ」を構成するピクセル数は、共に２２個であるため同じである。よって、第１の形状（ａ）と第２の形状（ｂ）の面積は、同じである。また、第１の形状（ａ）と第２の形状（ｂ）は、（５，６）、（５，７）、（６，７）、（６，８）、（６，９）、（７，１０）、（７，１１）、（８，１２）、（８，１３）、（９，１２）、（９，１３）、（１０，１０）、（１０，１１）、（１１，７）、（１１，８）、（１１，９）、（１２，６）、（１２，７）の１８個の同じ座標にピクセルが存在しない構成であり、当該部分は同一である。一方、第１の形状（ａ）と第２の形状（ｂ）の微細に異なる部分は、第１の形状（ａ）には、（７，８）、（８，８）、（９，８）、（１０，８）の４個の座標にピクセルが存在しない構成であるのに対し、第２の形状（ｂ）は、（７，８）、（８，８）、（９，８）、（１０，８）の４個の座標にピクセルが存在する構成である。
【００３０】
また、第２の形状（ｂ）は、（７，７）、（８，７）、（９，７）、（１０，７）の４個の座標にピクセルが存在しない構成であるのに対し、第１の形状（ａ）は、（７，８）、（８，８）、（９，８）、（１０，８）の４個の座標にピクセルが存在する構成である。第１の形状（ａ）と第２の形状（ｂ）の微細に異なる点は、（７，８）、（８，８）、（９，８）、（１０，８）の４個の座標のピクセルの存在と（７，７）、（８，７）、（９，７）、（１０，７）の４個の座標のピクセルの存在である。よって、第１の網点（Ａ）と第２の網点（Ｂ）の微細に異なる点は、ピクセルの存在する座標の一部の違いであり、全体に占めるピクセル数は同数であるため面積が同一である。
【００３１】
また、本発明の真偽判別印刷物を形成するための第１の網点（Ａ）と第２の網点（Ｂ）は、形状が「Ａ」の文字に限定されることなく、第１の網点（Ａ）と第２の網点（Ｂ）の面積が同一、かつ第１の形状と微細に形状が異なればよく、文字、図形、記号等から成る網点を用いることができる。本発明の真偽判別印刷物は、第１の網点（Ａ）の第１の形状と第２の網点（Ｂ）の第２の形状の微細な違いにより潜像が発現するからである。
【００３２】
一例として、図８（ａ）は、第１の網点（Ａ）に英文字の第１の形状である「Ａ」に対し、第２の網点（Ｂ）の第２の形状である「Ａ」は、第１の形状である「Ａ」の横線（横棒）の位置が微細に異なる形状である。また、図８（ｂ）は、第１の網点（Ａ）の第１の形状である「鳳凰」に対し、第２の網点（Ｂ）は、第１の形状である「鳳凰」と羽の形状が微細に異なる形状を用いている。また、図８（ｃ）は、第１の網点（Ａ）の第１の形状である「魚」に対し、第２の網点（Ｂ）は、第１の形状である「魚」と胴体の形状が微細に異なる形状を用いている。また、図８（ｄ）は、第１の網点（Ａ）に漢字の「犬」から成る文字の形状と第２の網点（Ｂ）には点の位置が異なる「犬」の文字から成る形状である。よって、第１の形状と第２の形状は、全体のとしての形状は同一であると認識されるが、形状の一部が微細に異なっている。
【００３３】
また、図８において、第１の網点（Ａ）と第２の網点（Ｂ）は、白抜けの文字等を中心としてピクセルが外周方向に存在することにより階調を表現しているが、本発明はこれに限定されることはない。例えば、図９（ａ）に示すように、魚の形状を網点マトリクス（５）内にピクセルにより構成し、網点マトリクス（５）の四隅や外周方向から中心方向に対してピクセルを段階的に生成する構成、図９（ｂ）に示すように、網点マトリクス（５）の四隅や両端、右下、左下等から中心方向に対してピクセルを段階的に生成する構成、図９（ｃ）に示すように、網点マトリクス（５）内に円形や四角形等の多角形ピクセルの集合体の形状による構成とすることもできる。
【００３４】
次に、可視画像部（３）を形成する第１の網点（Ａ）の配列と、潜像画像部（４）を形成する第２の網点（Ｂ）の配列について説明する。図１０（ａ）に示すように、第１の網点（Ａ）は、第１の方向に第１のピッチにより配列することにより第１の網点群（Ａ’）を形成し、複数の第１の網点群（Ａ’）を第２の方向に第１のピッチと同一ピッチにより配置することにより可視画像部（３）を形成する。また、図１０（ｂ）に示すように、第２の網点（Ｂ）は、第１の方向に第１のピッチと同一ピッチにより配列することにより第２の網点群（Ｂ’）を形成し、複数の第２の網点群（Ｂ’）を第２の方向に第２のピッチと同一ピッチにより配置することにより潜像画像部（４）を形成する。なお、第１の網点（Ａ）と第２の網点（Ｂ）の配列方向である第１の方向は、同一の方向であり、第１の網点（Ａ）の配列方向の延長上に第２の網点（Ｂ）は配置される。また、第１の網点（Ａ）と第２の網点（Ｂ）のピッチは、同一である。さらに、第１の網点群（Ａ’）と第２の網点群（Ｂ’）のピッチも同一であり、第１の網点群（Ａ’）と第２の網点群（Ｂ’）の配置は、同一線上に配置される。
【００３５】
次に、第１の網点（Ａ）と第２の網点（Ｂ）の位置関係について説明する。図１１（ａ）に示すように、可視画像部を形成する第１の網点（Ａ）の配置は、Ｘ方向とＹ方向に同一ピッチ（Ｐ）により配置し、第１の網点群（Ａ’）も同一方向に同一ピッチで配列されている。また、潜像画像部を形成する第２の網点（Ｂ）の配置も、第１の網点（Ａ）の配置と同一ピッチ（Ｐ）によりＸ方向とＹ方向に配置され、第２の網点群（Ｂ’）も第１の網点群（Ａ’）と同一のピッチにより配置されている。また、可視画像部を形成する第１の網点（Ａ）と潜像画像部を形成する第２の網点（Ｂ）の間隔も、Ｘ方向とＹ方向に同一ピッチ（Ｐ）で配置されている。図１１（ａ）において、第１の網点（Ａ）と第２の網点（Ｂ）は、直線状（同一線状）に配置されているが、第１の網点（Ａ）と第２の網点（Ｂ）の配置位置は、Ｘ方向とＹ方向に対して同一ピッチ（Ｐ）により配置されていればよく、図１１（ｂ）に示すように、図１１（ａ）に示す配置位置からＸ方向に行単位で半ピッチずらして配置してもよく、Ｙ方向に列単位で半ピッチずらしてもよい。
【００３６】
図１２は、本発明の真偽判別印刷物Ｐ１とその一部拡大図を示す図である。図１２の拡大図に示すように、可視画像部（３）は、図５（ａ）に示した第１の網点（Ａ）をピッチ（Ｐ）の同一の間隔で配置して構成している。また、潜像画像部（４）も、第１の網点（Ａ）と同一のピッチ（Ｐ）により第２の網点（Ｂ）を配置して構成している。
【００３７】
図１２の本発明の真偽判別印刷物Ｐ１は、コンピュータグラフィック（ＣＧ）ソフトでハーフトーンスクリーンを作成し、「船」の階調画像を下絵として、この下絵となる画像の階調に応じたハーフトーンスクリーンに置き換えるスクリーニング処理を行い、可視画像部と潜像画像部を作成する。なお、スクリーニング処理とは、階調画像の各ピクセルの持つ濃度情報を、対応する面積を持つハーフトーンスクリーンに置き換える作業をいう。本発明の真偽判別印刷物Ｐ１の版面は、潜像画像部「１」とそれ以外の可視画像部（数字の１以外の領域）にエリア分けし、潜像画像部「１」のエリア内は第２の網点（Ｂ）に置き換え、可視画像部（数字の１以外の領域）は、第１の網点（Ａ）に置き換える処理を行って２値画像データを作製し、当該データにより版面は作製される。本発明の真偽判別印刷物Ｐ１は、２値画像データから作製された版面を印刷機に設置して作製される。
【００３８】
真偽判別印刷物Ｐ１を可視光下において肉眼で観察した場合は、図１３に示すように、可視画像部（３）と潜像画像部（４）は区分けされて視認することができず、印刷模様（２）の「船」の絵柄が確認できる。これは、可視画像部（３）の各階調ごとの第１の網点（Ａ）の面積と、潜像画像部（４）の各階調ごとの第２の網点（Ｂ）の面積が、同一であるために、可視画像部（３）と潜像画像部（４）を区分けして視認できないからである。
【００３９】
次に、真偽判別印刷物Ｐ１にレンチキュラーレンズ（６）を重ねた第１の状態について説明する。ここで言う、第１の状態とは、図１４に示すように、万線形状のレンチキュラーレンズ（６）のレンズ部分により、第１の網点（Ａ）にピクセルが存在しない座標である（７，８）、（８，８）、（９，８）、（１０，８）の４ピクセルが拡大され、第２の網点（Ｂ）にピクセルが存在する座標である（７，８）、（８，８）、（９，８）、（１０，８）の４ピクセルが拡大される状態である。よって、第１の状態とは、第２の網点（Ｂ）と第１の網点（Ａ）の同じ位置の座標において、ピクセルの存在しない第１の網点（Ａ）の座標の部分と、ピクセルが存在する第２の網点（Ｂ）の座標の部分とが拡大された状態をいう。なお、レンチキュラーレンズ（６）のレンズの配置ピッチは、第１の網点（Ａ）及び第２の網点（Ｂ）と同ピッチＰで配置した。
【００４０】
第１の状態において、可視画像部を形成する第１の網点（Ａ）は、レンチキュラーレンズ（６）を載せることによって、ピクセルの存在しない座標（７，８）、（８，８）、（９，８）、（１０，８）が、拡大されて観察される。一方、潜像画像部を構成する第２の網点（Ｂ）は、レンチキュラーレンズを載せることによって、ピクセルの存在する座標（７，８）、（８，８）、（９，８）、（１０，８）が、拡大されて観察される。第１の網点（Ａ）は、ピクセルの存在しない座標が拡大されるため、ピクセルの存在する座標が拡大された第２の網点（Ｂ）より淡く観察される。よって、この濃淡差により潜像画像を確認することができる。
【００４１】
したがって、図１５（ａ）に示すように、真偽判別印刷物Ｐ１にレンチキュラーレンズ（６）を載せた場合は、図１５（ｂ）に示すように、第１の状態により可視画像部（３）は、潜像画像部（４）よりも、全体的に淡く視認され、潜像画像部（４）は、可視画像部（３）よりも、全体的に濃く視認され、この濃度差によって潜像画像「１」が確認できる。なお、潜像画像部（４）の視認は、真偽判別印刷物Ｐ１に対するレンチキュラーレンズ（６）の重ね合わせ位置を、第１の網点と第２の網点の配列方向である第１の方向にレンチキュラーレンズ（６）のレンズの配置ピッチを合わせることにより視認することができる。
【００４２】
次に、真偽判別印刷物Ｐ１にレンチキュラーレンズ（６）を重ねた第２の状態について説明する。ここで言う、第２の状態とは、図１６に示すように、万線形状のレンチキュラーレンズ（６）のレンズ部分に、第１の網点（Ａ）にピクセルが存在する座標である（７，７）、（８，７）、（９，７）、（１０，７）の４ピクセルが拡大され、第２の網点（Ｂ）にピクセルが存在しない座標である（７，７）、（８，７）、（９，７）、（１０，７）の４ピクセルが拡大される状態である。よって、第２の状態とは、第２の網点（Ｂ）と第１の網点（Ａ）の同じ位置の座標において、ピクセルが存在する第１の網点（Ａ）の座標の部分と、ピクセルの存在しない第２の網点（Ｂ）の座標の部分が拡大された状態をいう。なお、第２の状態は、第１の状態からＹ方向にレンチキュラーレンズ（６）のレンズの配置ピッチ（Ｐ）程度ずらすことにより観察することができる。
【００４３】
第２の状態において、可視画像部を形成する第１の網点（Ａ）は、レンチキュラーレンズ（６）を載せることによって、ピクセルの存在する座標（７，７）、（８，７）、（９，７）、（１０，７）が、拡大されて観察される。一方、潜像画像部を構成する第２の網点（Ｂ）は、レンチキュラーレンズ（６）を載せることによって、ピクセルの存在しない座標（７，７）、（８，７）、（９，７）、（１０，７）が、拡大されて観察される。第１の網点（Ａ）は、ピクセルの存在する座標が拡大されるため、ピクセルの存在しない座標が拡大された第２の網点（Ｂ）よりも濃く視認される。よって、この濃淡差により潜像画像を確認することができる。
【００４４】
したがって、図１７（ａ）に示すように、真偽判別印刷物Ｐ１にレンチキュラーレンズ（６）を第１の状態からＹ方向に対してレンチキュラーレンズ（６）のレンズ配置のピッチ（Ｐ）、すなわち１ピクセル程度ずらした場合は、図１７（ｂ）に示すように、第２の状態によって、可視画像部（３）は、潜像画像部（４）よりも、全体的に濃く視認され、潜像画像部（４）は、可視画像部（３）よりも、全体的に淡く視認され、この濃度差によって潜像画像「１」が確認できる。なお、第１の状態において潜像画像部（４）は、可視画像部（３）より濃く視認され、第２の状態において潜像画像部（４）は、可視画像部（３）より淡く視認されるため、第１の状態と第２の状態は、ネガ・ポジの関係である。
【００４５】
次に、真偽判別印刷物Ｐ１にマイクロレンズアレイシートを重ねた場合について説明する。なお、マイクロレンズアレイシート(以下「レンズシート」という。)とは、光透過性の材質でできた微小な半球体（マイクロレンズアレイ）を多量に規則的に配置したレンズ効果を有するシートのことで、レンチキュラーレンズ同様、印刷物等に積層し、高い視覚効果を有する媒体である。なお、図１８に示すレンズシート７は、マイクロレンズアレイの配置ピッチを、第１の網点（Ａ）及び第２の網点（Ｂ）と同ピッチＰで配置している。
【００４６】
図１９（ａ）に示すように、真偽判別印刷物Ｐ１にレンズシート（７）を重ねた場合は、図１９（ｂ）に示すように、第１の状態により、可視画像部（３）は、潜像画像部（４）よりも、全体的に淡く視認され、潜像画像部（４）は、可視画像部（３）よりも、全体的に濃く視認され、この濃度差によって潜像画像「１」が確認できる。なお、レンズシート（７）は、レンチキュラーレンズ（６）のレンズの配列とピッチが同様であり、潜像画像部（４）の発現原理は、前述したレンチキュラーレンズ（６）の場合と同じであるため、レンズシート（７）による潜像画像部（４）の発現原理は省略する。
【００４７】
また、図２０（ａ）に示すように、真偽判別印刷物Ｐ１にレンズシート（７）を第１の状態からＹ方向に対してレンズアレイの配置のピッチ（Ｐ）程度ずらした場合は、図２０（ｂ）に示すように、第２の状態によって、可視画像部（３）は、潜像画像部（４）よりも、全体的に濃く視認され、潜像画像部（４）は、可視画像部（３）よりも、全体的に淡く視認され、この濃度差によって潜像画像「１」を確認できる。よって、レンズシート（７）を使用した場合においても、レンチキュラーレンズ（６）を重ねた場合と同様な効果を得られる。
【００４８】
また、図２１（ａ）に示すように、第１の状態からレンズシート（７）を真偽判別印刷物Ｐ１に対して角度αの状態で重ねた場合は、図２１（ｂ）に示すように、レンズシート（７）により、第１の網点（Ａ）の第１の形状である「Ａ」の文字が複数合成されて発現する第１の形状である「Ａ」の文字の干渉模様と、第２の網点（Ｂ）の第２の形状である「Ａ」の文字が複数合成されて発現する第２の形状である「Ａ」の文字の干渉模様と、第１の形状である「Ａ」の文字の干渉模様と第２の形状である「Ａ」の文字の干渉模様が合成されて発現する干渉模様を観察できる。さらに、図２１（ｃ）に示すように、レンズシート（７）を角度αの位置からθ方向に回転させた場合は、第１の網点（Ａ）第１の形状と第２の網点（Ｂ）の第２の形状である「Ａ」の文字が次第に拡大されて観察される。なお、レンズシート（７）角度αが０度の場合、すなわち第１の状態の場合は、第１の網点（Ａ）の第１の形状である「Ａ」の文字と第２の網点（Ｂ）の第２の形状である「Ａ」の文字は消失し、潜像「１」を観察できる。
【００４９】
上記説明において、例えば、図５に示した網点によって印刷模様は階調を有する画像で説明しているが、本発明はこれに限定されることなく、印刷模様は階調を有することなく、一様な画像であっても良い。例えば、図５（ａ）に示す第１の網点Ａ４８のみで可視画像部（３）を形成し、図５（ｂ）に示す第２の網点Ｂ４８のみで潜像画像部（４）を形成して印刷模様を形成することができる。また、図５（ｂ）に示す第１の網点Ａ２４のみで可視画像部（３）を形成し、図５（ｂ）に示す第２の網点Ｂ２４のみで潜像画像部（４）を形成して印刷模様を形成することができる。さらに、図５（ａ）に示す第１の網点Ａ１のみで可視画像部（３）を形成し、図５（ｂ）に示す第２の網点Ｂ１のみで潜像画像部（４）を形成して印刷模様を形成することができる。
【００５０】
本発明の真偽判別印刷物の網点のスクリーン線数は、２５ｌｐｉ〜１７５ｌｐｉであり、好ましくは、３０ｌｐｉ〜１２０ｌｐｉである。スクリーン線数が１７５ｌｐｉより大きい場合は、本発明の網点形状を有する印刷物を作製上困難となる。また、スクリーン線数が２５ｌｐｉより小さい場合は、シャドウ部の網点の大きさが１ｍｍを超え、網点の形状が肉眼で認識可能になり、潜像画像部と可視画像部が肉眼で区分けして視認されるおそれがある。
【００５１】
本発明の真偽判別印刷物を印刷する基材は、紙、プラスチック、フィルム、金属板等、特に限定されるものではない。
【００５２】
本発明の真偽判別印刷物を印刷する印刷方式は、オフセット印刷方式、グラビア印刷方式、スクリーン印刷方式、フレキソ印刷方式、インクジェットプリンタ、レーザプリンタ、ベタ等の印刷にレーザ加工機で印刷部を削る方法等、特に限定されるものではないが、オフセット印刷方式が好ましい。また、使用する印刷インキは、特に限定されることはなく、有色蛍光インキ、赤外吸収インキ、磁性インキ、パール等の光学的変化インキ等を用いることもできる。
【００５３】
印刷模様及び潜像画像は、文字、数字、記号及び絵柄の少なくとも一つで構成することできるため、デザインは、特に限定されるものではない。
【実施例】
【００５４】
以下、実施例を用いて本発明をさらに詳細に説明するが、本発明の内容は、これらの実施例の範囲に限定されるものではない。
【００５５】
（実施例１）
本実施例１においては、図２２（ａ）に示すように、ＴＩＦＦ形式（グレー２５６階調）の「朝顔」の画像データを使用した。本実施例に使用する網点は、スクリーン線数を１００ｌｐｉとし、１／１００インチ（２５４μｍ）×１／１００インチのエリア内のピクセル数は、１６×１６ピクセルである。図２２（ｂ）に示すように、第２の網点（Ｂ）の第２の形状（ｂ）は、第１の網点（Ａ）の第１の形状（ａ）と、「鳳凰」の左右の羽の部分のみが異なり、かつ、同一の面積で作成した。可視画像部を形成する第１の網点（Ａ）のピッチ（Ｐ）と潜像画像部を形成する第２の網点（Ｂ）のピッチ（Ｐ）は、２５４μｍの同一ピッチ（Ｐ）とし、図２２（ａ）の拡大図のように規則的にマトリクス状に配置した。なお、潜像画像部は、第２の網点（Ｂ）により「Ｐ」の文字を構成した。
【００５６】
次に、網点マトリクス（５）の座標により第１の網点（Ａ）と第２の網点（Ｂ）の形状の異なる部分について詳細に説明する。図２３は、第１の網点（Ａ）の第１の形状（ａ）と第２の網点（Ｂ）の第２の形状（ｂ）である「鳳凰」の拡大図である。第１の形状（ａ）である「鳳凰」と第２の形状（ｂ）である「鳳凰」との異なる点は、第１の形状（ａ）の網点マトリクスの座標（１，８）、（１，１１）、（２，７）、（２，１２）、（３，１３）、（５，８）、（５，９）、（５，１０）、（５，１１）、（６，１２）、（１２，７）、（１３，８）、（１４，１２）、（１５，８）、（１５，９）、（１５，１０）、（１５，１１）の１７個にピクセルの存在しない点である。
【００５７】
一方、第２の網点（Ｂ）の第２の形状（ｂ）と第１の形状（ａ）である「鳳凰」の異なる点は、第２の形状（ｂ）の網点マトリクスの座標（２，８）、（２，９）、（２，１０）、（２，１１）、（３，１２）、（４，８）、（５，７）、（１１，１２）、（１２，８）、（１２，９）、（１２，１０）、（１２，１１）、（１４，１３）、（１５，７）、（１５，１２）、（１６，８）、（１６，１１）の１７個にピクセルの存在しない点である。
【００５８】
次に、階調画像の各ピクセルの持つ濃度情報を、対応する面積を持つ網点に置き換える作業であるスクリーニング処理を行った。本実施例で作成した網点は４８階調なので、スクリーンニングされる階調画像の２５６階調を４８階調に変換して、階調画像の各ピクセルの持つ階調と同じ階調の網点に置き換えた。可視画像部（３）は第１の網点（Ａ）に置き換え、潜像画像部は、第２の網点（Ｂ）に置き換えた。スクリーニング処理を行った後にＰＳ版面を作製し、オフセット印刷機（色：マゼンタインキ）により、実施例１の真偽判別印刷物Ｐ２を作製した。
【００５９】
真偽判別印刷物Ｐ２を可視光下で肉眼で観察した場合は、図２４（ａ）に示すように可視画像部（３）と潜像画像部（４）を区分けして視認できなかった。一方、図２４（ｂ）に示すように、真偽判別印刷物Ｐ２に実施の形態において前述した第１の状態で２５４μｍのレンチキュラーレンズ（６）を、真偽判別印刷物Ｐ２に対してレンチキュラーレンズ（６）の万線が縦方向になるように重ねた場合は、図２４（ｃ）に示すように潜像画像部（４）である「Ｐ」よりも、可視画像部（３）が全体的に淡く視認できた。一方、潜像画像部（４）である「Ｐ」は、可視画像部（３）よりも、全体的に濃く視認されることによって、潜像画像「Ｐ」の文字を確認できた。
【００６０】
また、図２５（ａ）に示すように、真偽判別印刷物Ｐ２のレンチキュラーレンズ（６）を縦方向（Ｙ方向）に２５４μｍのレンチキュラーレンズをおよそ１００μｍ程度ずらした場合は、図２５（ｂ）に示すように、実施の形態において前述した第２の状態によって、可視画像部（３）は、潜像画像部（４）よりも、全体的に濃く視認され、潜像画像部（４）は、可視画像部（３）よりも、全体的に淡く視認され、潜像画像「Ｐ」の第１の状態と第２の状態でネガ・ポジ反転した画像を確認できた。
【００６１】
次に、真偽判別印刷物Ｐ２にレンズシート７を載せた場合について、図２６により説明する。レンズシート（７）のマイクロレンズアレイの配置ピッチは、第１の網点（Ａ）と第２の網点（Ｂ）と同ピッチＰで配置した。図２６（ａ）に示すように、真偽判別印刷物Ｐ２にレンズシート（７）を重ねた。図２６（ｂ）に示すように、レンズシート（７）を重ねた第１の状態において可視画像部（３）は、潜像画像部（４）よりも、全体的に淡く視認できた。また、潜像画像部（４）は、可視画像部（３）よりも、全体的に濃く視認されることによって潜像画像「Ｐ」を確認できた。
【００６２】
また、図２７（ａ）に示すように、真偽判別印刷物Ｐ２にレンズシート（７）を第１の状態から縦方向（Ｙ方向）に２５４μｍのレンチキュラーレンズをおよそ１００μｍ程度ずらした場合は、図２７（ｂ）に示すように、第２の状態によって、可視画像部（３）は、潜像画像部（４）よりも、全体的に濃く視認され、潜像画像部（４）を可視画像部（３）よりも全体的に淡く視認することによって、潜像画像「Ｐ」の第１の状態と第２の状態でネガ・ポジ反転した画像を確認できた。
【００６３】
また、図２８（ａ）に示すように、第１の状態からレンズシート（７）を真偽判別印刷物Ｐ２に対して角度αを７度程度傾けて重ねた場合は、図２８（ｂ）に示すように、レンズシート（７）により、第１の網点（Ａ）の第１の形状の干渉模様である「鳳凰」の形状と第２の網点（Ｂ）の第２の形状の「鳳凰」の形状を観察できた。なお、本実施例において、レンズシート（７）の傾き角度αは７度であるが、１度から１０度程度であってもよい。また、図２８（ｃ）に示すように、第１の状態からレンズシート（７）を角度αの位置からθ方向に回転させた場合は、第１の網点（Ａ）の第１の形状の「鳳凰」と第２の網点（Ｂ）の第２の形状の「鳳凰」の形状が次第に拡大され、第１の網点（Ａ）と第２の網点（Ｂ）が干渉して、微細に異なる羽の部分の区別ができなくなり、「鳳凰」の形状を観察できた。また、レンズシート（７）の角度αが０度の場合、すなわち第１の状態の場合は、第１の形状と第２の形状が合成されて発現する干渉模様である「鳳凰」の形状が消失し、潜像画像「Ｐ」を観察できた。
【００６４】
(実施例２)
本実施例２においては、図２９（ａ）に示す白黒２階調（ＴＩＦＦ形式）の「車」の画像データを使用した。また、第１の網点（Ａ）及び第２の網点（Ｂ）は、図２９（ｂ）に示すような画像をＣＧソフトを使用して作成した。本実施例における階調画像は、２階調であるため作成する網点は、可視画像部（３）のハイライト部に第１の網点（Ａ１）、シャドウ部に第１の網点（Ａ２）の二種類の網点を使用した。また、潜像画像部（４）のハイライト部に第２の網点（Ｂ１）、シャドウ部に第２の網点（Ｂ２）の二種類の網点を使用した。なお、本実施例２における出力装置は、出力解像度が2540dpiのイメージセッタを使用し、ピッチを250μmとした。したがって、網点マトリクスを構成するピクセルは、25×25ピクセル(250/(25.4/2540)=25）となるため、第１の網点（Ａ）と第２の網点（Ｂ）は、25×25ピクセルの網点マトリクスを使用した。なお、第１の網点（Ａ）と第２の網点（Ｂ）の配置は、図３０の拡大図のように規則的な千鳥状に配置した。なお、微細に異なる部分は、「Ａ」の文字の横線（横棒）部分であり、前述しているため網点座標の説明は省略する。
【００６５】
次に、二階調画像の各ピクセルの持つ階調と同じ階調の網点に置き換えるスクリーニング処理を行う。まず、可視画像部（３）の階調画像のピクセルが黒く塗りつぶされている部分は、第１の網点（Ａ２）に置換し、ピクセルが塗りつぶされていない部分は、第１の網点（Ａ１）に置換した。また、潜像画像部（４）の階調画像のピクセルが黒く塗りつぶされている部分は、第２の網点（Ｂ２）に置換し、ピクセルが塗りつぶされていない部分を第２の網点（Ｂ１）に置換した。スクリーニング処理を行った後、イメージセッタでフィルム出力を行ってＰＳ版面を作製し、オフセット印刷機（色：マゼンタインキ）で印刷し、真偽判別印刷物Ｐ３を作製した。
【００６６】
真偽判別印刷物Ｐ３を可視光下で肉眼で観察した場合は、図３１に示すように、可視画像部（３）と潜像画像部（４）を区分けして視認できなかった。一方、図３２に示すように、真偽判別印刷物Ｐ３に第１の状態で２５０μｍのレンチキュラーレンズ（６）を、真偽判別印刷物Ｐ３に対してレンチキュラーレンズ（６）の万線が縦方向になるように重ねた場合は、潜像画像部（４）である「Ｐ」よりも、可視画像部（３）が全体的に淡く視認できた。一方、潜像画像部（４）である「Ｐ」は、可視画像部（３）よりも、全体的に濃く視認されることによって、潜像画像「Ｐ」の文字を確認できた。
【００６７】
また、図３３に示すように、真偽判別印刷物Ｐ３のレンチキュラーレンズ（６）を縦方向（Ｙ方向）に２５０μｍのレンチキュラーレンズをおよそ１００μｍ程度ずらした場合は、図３３に示すように、第２の状態によって、可視画像部（３）は、潜像画像部（４）よりも、全体的に濃く視認され、潜像画像部（４）は、可視画像部（３）よりも、全体的に淡く視認され、潜像画像「Ｐ」の第１の状態と第２の状態でネガ・ポジ反転した画像を確認できた。
【００６８】
また、図３４（ａ）に示すように、第１の状態からレンズシート（７）を真偽判別印刷物Ｐ３に対して角度αを９度程度傾けて重ねた場合は、図３４（ｂ）に示すように、レンズシート（７）により、第１の網点（Ａ）と第２の網点（Ｂ）の文字「Ａ」とドットの形状が観察できた。また、図３４（ｃ）に示すように、第１の状態からレンズシート（７）を角度αの位置からθ方向に回転させた場合は、第１の網点（Ａ）と第２の網点（Ｂ）の文字「Ａ」とドットの形状が次第に拡大され、第１の網点（Ａ）と第２の網点（Ｂ）が干渉して、微細に異なる文字「Ａ」の部分の区別ができなくなり、文字「Ａ」とドットの形状を観察できた。また、レンズシート（７）の角度αが０度の場合、すなわち第１の状態の場合は、第１の形状と第２の形状が合成されて発現する干渉模様である文字「Ａ」とドットの形状が消失し、潜像画像「Ｐ」を観察できた。
【図面の簡単な説明】
【００６９】
【図１】真偽判別印刷物Ｐ１の平面図。
【図２】第１の網点（Ａ）と第２の網点（Ｂ）の階調を示す平面図。
【図３】第１の網点（Ａ）と第２の網点（Ｂ）との関係を示す平面図。
【図４】網点マトリクスを示す平面図。
【図５】第１の網点（Ａ）と第２の網点（Ｂ）のピクセルとの関係を示す平面図。
【図６】第１の網点（Ａ）と第２の網点（Ｂ）の形状を示す平面図
【図７】第１の網点（Ａ）と第２の網点（Ｂ）のピクセル座標を示す平面図。
【図８】ハーフトーンスクリーンの形状の一例を示す平面図
【図９】ハーフトーンスクリーンセル内に形成された各階調を表す第１の網点（Ａ）及び第２の網点（Ｂ）の平面図。
【図１０】第１の網点群（Ａ’）と第２の網点群（Ｂ’）の配置例を示す平面図。
【図１１】第１の網点（Ａ）と第２の網点（Ｂ）の配置例を示す平面図。
【図１２】真偽判別印刷物Ｐ１とその一部拡大図。
【図１３】真偽判別印刷物Ｐ１の可視光下における肉眼での観察図。
【図１４】真偽判別印刷物Ｐ１の第１の状態を示す拡大図。
【図１５】真偽判別印刷物Ｐ１の第１の状態を示す平面図。
【図１６】真偽判別印刷物Ｐ１の第２の状態を示す拡大図。
【図１７】真偽判別印刷物Ｐ１の第２の状態を示す平面図。
【図１８】マイクロレンズアレイシート（７）を示す斜視図。
【図１９】真偽判別印刷物Ｐ１のマイクロレンズアレイシート（７）による第１の状態を示す平面図。
【図２０】真偽判別印刷物Ｐ１のマイクロレンズアレイシート（７）による第２の状態を示す平面図。
【図２１】真偽判別印刷物Ｐ１のマイクロレンズアレイシート（７）による一例を示す平面図。
【図２２】真偽判別印刷物Ｐ２とその一部拡大図。
【図２３】第１の網点（Ａ）と第２の網点（Ｂ）の形状を示す平面図。
【図２４】真偽判別印刷物Ｐ２の第１の状態を示す平面図。
【図２５】真偽判別印刷物Ｐ２の第２の状態を示す平面図。
【図２６】真偽判別印刷物Ｐ２のマイクロレンズアレイシート（７）による第１の状態を示す平面図。
【図２７】真偽判別印刷物Ｐ２のマイクロレンズアレイシート（７）による第２の状態を示す平面図。
【図２８】真偽判別印刷物Ｐ２のマイクロレンズアレイシート（７）による一例を示す平面図。
【図２９】真偽判別印刷物Ｐ３を構成する第１の網点（Ａ）及び第２の網点（Ｂ）の平面図。
【図３０】真偽判別印刷物Ｐ３とその一部拡大図。
【図３１】真偽判別印刷物Ｐ３の可視光下における肉眼での観察図。
【図３２】真偽判別印刷物Ｐ３の第１の状態を示す平面図。
【図３３】真偽判別印刷物Ｐ３の第２の状態を示す平面図。
【図３４】真偽判別印刷物Ｐ３にマイクロレンズアレイシート（７）による一例を示す平面図。
【符号の説明】
【００７０】
１          基材
２          印刷模様
３          可視画像部
４          潜像画像部
５          網点マトリクス
６          レンチキュラーレンズ
７          マイクロレンズアレイシート
Ｐ１、Ｐ２ 、Ｐ３          真偽判別印刷物
Ａ、Ａ１、Ａ２          第１の網点
Ａ’          第１の網点群
ａ、ａ１、ａ２          第１の形状
Ｂ、Ｂ１、Ｂ３          第２の網点
Ｂ’            第２の網点群
ｂ、ｂ１、ｂ２          第２の形状
【図１】
2010030056.tif 000003
【図２】
2010030056.tif 000004
【図３】
2010030056.tif 000005
【図４】
2010030056.tif 000006
【図５】
2010030056.tif 000007
【図６】
2010030056.tif 000008
【図７】
2010030056.tif 000009
【図８】
2010030056.tif 000010
【図９】
2010030056.tif 000011
【図１０】
2010030056.tif 000012
【図１１】
2010030056.tif 000013
【図１２】
2010030056.tif 000014
【図１３】
2010030056.tif 000015
【図１４】
2010030056.tif 000016
【図１５】
2010030056.tif 000017
【図１６】
2010030056.tif 000018
【図１７】
2010030056.tif 000019
【図１８】
2010030056.tif 000020
【図１９】
2010030056.tif 000021
【図２０】
2010030056.tif 000022
【図２１】
2010030056.tif 000023
【図２２】
2010030056.tif 000024
【図２３】
2010030056.tif 000025
【図２４】
2010030056.tif 000026
【図２５】
2010030056.tif 000027
【図２６】
2010030056.tif 000028
【図２７】
2010030056.tif 000029
【図２８】
2010030056.tif 000030
【図２９】
2010030056.tif 000031
【図３０】
2010030056.tif 000032
【図３１】
2010030056.tif 000033
【図３２】
2010030056.tif 000034
【図３３】
2010030056.tif 000035
【図３４】
2010030056.tif 000036